(57)【要約】    【課題】  少ない農薬の噴霧量であっても遠くの作物にまで農薬を散布できるようにすること。    【解決手段】  本発明では、加圧した液体状の農薬を噴霧ノズルから噴霧することによって作物に農薬を散布する農薬散布装置において、加圧した空気を噴き出すための空気噴出口を形成し、この空気噴出口に前記噴霧ノズルを配置することにした。特に、前記空気噴出口に一対の噴霧ノズルを各噴霧ノズルから噴霧された農薬同士が衝突するように対向させた状態で配置し、また、前記各噴霧ノズルから噴霧された農薬同士が衝突する位置に農薬を帯電させるための電極を配置し、さらには、前記各噴霧ノズルから噴霧された農薬同士が衝突する領域をカバーで被覆することにした。【選択図】      図１
2007049958.tif 000002
【特許請求の範囲】
【請求項１】
加圧した液体状の農薬を噴霧ノズルから噴霧することによって作物に農薬を散布する農薬散布装置において、
加圧した空気を噴き出すための空気噴出口を形成し、この空気噴出口に前記噴霧ノズルを配置したことを特徴とする農薬散布装置。
【請求項２】
前記空気噴出口に一対の噴霧ノズルを各噴霧ノズルから噴霧された農薬同士が衝突するように対向させた状態で配置したことを特徴とする請求項１に記載の農薬散布装置。
【請求項３】
前記各噴霧ノズルから噴霧された農薬同士が衝突する位置に農薬を帯電させるための電極を配置したことを特徴とする請求項２に記載の農薬散布装置。
【請求項４】
前記各噴霧ノズルから噴霧された農薬同士が衝突する領域をカバーで被覆したことを特徴とする請求項２又は請求項３に記載の農薬散布装置。
【発明の詳細な説明】
【技術分野】
【０００１】
本発明は、加圧した液体状の農薬を噴霧ノズルから噴霧することによって作物に農薬を散布する農薬散布装置に関するものである。
【背景技術】
【０００２】
従来より、野菜や果実や花などの栽培においては、作物に向けて液体状の農薬を散布する農薬散布装置が広く使用されている。
【０００３】
この農薬散布装置は、液体状の農薬を貯留したタンクに農薬供給パイプの基端部を接続し、この農薬供給パイプの中途部にポンプを接続するとともに、農薬供給パイプの先端部に噴霧ノズルを接続した構成となっていた（たとえば、特許文献１参照）。
【０００４】
そして、従来の農薬散布装置では、ポンプによって液体状の農薬を加圧し、農薬の圧力によって噴霧ノズルから霧状の農薬を散布するようにしていた。
【特許文献１】特開２００５−１２５１７５号公報
【発明の開示】
【発明が解決しようとする課題】
【０００５】
ところが、上記従来の農薬散布装置では、ポンプによって加圧した農薬の圧力によって噴霧ノズルから農薬を散布するように構成していたために、１分間に１リットル程度の噴霧量では、農薬を遠くまで散布することができなかった。
【０００６】
そのため、従来の農薬散布装置では、農薬の効果を十分なものとするために、１分間に１０リットル程度の噴霧量の農薬を噴霧ノズルから噴霧することによって遠くまで農薬を散布する必要があり、多量の農薬を使用しなければならなかった。
【０００７】
このように、多量の農薬を使用した場合には、農薬の使用量の増大に伴って、農薬コストの増大を招くばかりではなく、作業者の健康を害するおそれがあり、また、残留農薬による悪影響を招くおそれもあった。
【課題を解決するための手段】
【０００８】
そこで、請求項１に係る本発明では、加圧した液体状の農薬を噴霧ノズルから噴霧することによって作物に農薬を散布する農薬散布装置において、加圧した空気を噴き出すための空気噴出口を形成し、この空気噴出口に前記噴霧ノズルを配置することにした。
【０００９】
また、請求項２に係る本発明では、前記請求項１に係る本発明において、前記空気噴出口に一対の噴霧ノズルを各噴霧ノズルから噴霧された農薬同士が衝突するように対向させた状態で配置することにした。
【００１０】
また、請求項３に係る本発明では、前記請求項２に係る本発明において、前記各噴霧ノズルから噴霧された農薬同士が衝突する位置に農薬を帯電させるための電極を配置することにした。
【００１１】
また、請求項４に係る本発明では、前記請求項２又は請求項３に係る本発明において、前記各噴霧ノズルから噴霧された農薬同士が衝突する領域をカバーで被覆することにした。
【発明の効果】
【００１２】
そして、本発明では、以下に記載する効果を奏する。
【００１３】
すなわち、請求項１に係る本発明では、加圧した液体状の農薬を噴霧ノズルから噴霧することによって作物に農薬を散布する農薬散布装置において、加圧した空気を噴き出すための空気噴出口を形成し、この空気噴出口に噴霧ノズルを配置することにしているために、噴霧ノズルから噴霧された農薬を農薬自体の圧力に加えて加圧した空気の圧力によっても散布することになり、少ない農薬の噴霧量であっても遠くまで散布することができる。
【００１４】
また、請求項２に係る本発明では、空気噴出口に一対の噴霧ノズルを各噴霧ノズルから噴霧された農薬同士が衝突するように対向させた状態で配置することにしているために、農薬同士の衝突によって噴霧される農薬の粒子を小さく（軽く）することができ、より遠くまで農薬を散布することができる。
【００１５】
また、請求項３に係る本発明では、各噴霧ノズルから噴霧された農薬同士が衝突する位置に農薬を帯電させるための電極を配置することにしているために、農薬同士の衝突によって小さくなった農薬の粒子を電極で帯電させることができるので、農薬の粒子を良好に帯電させることができ、帯電された農薬の粒子を作物の裏側にまで付着させることができる。
【００１６】
また、請求項４に係る本発明では、各噴霧ノズルから噴霧された農薬同士が衝突する領域をカバーで被覆することにしているために、外部の空気の流れに影響されることなく農薬同士を衝突させることができ、また、電極で帯電させることができる。
【発明を実施するための最良の形態】
【００１７】
以下に、本発明に係る農薬散布装置の具体的な構成について図面を参照しながら説明する。
【００１８】
図１に示すように、農薬散布装置１は、移動しながら農薬を散布する農薬散布車２と、この農薬散布車２に液体状の農薬を加圧して供給する農薬供給装置３とで構成しており、この農薬供給装置３は、液体状の農薬を貯留する貯留タンク４にポンプ５を連通パイプ６を介して接続するとともに、ポンプ５に農薬供給パイプ７の基端部を接続して、貯留タンク４に貯留した液体状の農薬をポンプ５によって加圧して農薬供給パイプ７で農薬散布車２へ供給するようにしている。また、農薬散布車２には、電力を供給する電源コード８が接続されており、この電源コード８の先端部のプラグ９は商用200Vのコンセントに接続されている。
【００１９】
農薬散布車２は、図１〜図５に示すように、移動可能な台車10に散布機11を載設している。
【００２０】
台車10は、矩形板状の荷台12の下部に矩形枠状のフレーム13を取付け、このフレーム13の前後端部に左右一対の車輪14を車軸15を介して接続し、一方、荷台12の後端上部に略門型状の手摺16を取付けている。
【００２１】
散布機11は、台車10の荷台12の後部中央にコンプレッサー17を載置するとともに、荷台12の前部中央に散布筒18を載置し、これらのコンプレッサー17と散布筒18とを連通ダクト19で連通連結している。このコンプレッサー17には、台車10の手摺16に取付けた電源スイッチ20を介して電源コード８を接続している。
【００２２】
散布筒18は、上下方向に向けて伸延させた中空円筒状の散布筒本体21の基端部を荷台12に取付けるとともに、散布筒本体21の中途部に４個の左右一対の噴霧部22,23を上下に間隔をあけて形成している。なお、散布筒本体21の基端部には、コンプレッサー17が連通ダクト19を介して連通連結されている。
【００２３】
また、散布筒18は、中途後部において台車10の手摺16の上端中央部で支持されている。すなわち、散布筒18は、中途後部に中空円筒状の支持体24の先端部を取付け、この支持体24の基端部を手摺16の上端中央部に取付けている。
【００２４】
この支持体24には、中空部に電線25が挿通されており、この電線25の基端部は、電源コード８に電源スイッチ20を介して接続した変圧トランス26に接続されており、一方、電線25の先端部は中途で分岐して各噴霧部22,23に配設されている。
【００２５】
噴霧部22,23は、図６〜図８に示すように、散布筒本体21の左右側部に円形状の貫通孔27,28を形成し、この貫通孔27,28に円筒状の噴出筒29,30の基端部を取付け、この噴出筒29,30の先端部に円形開口状の空気噴出口31,32を形成するとともに、噴出筒29,30の上部に円弧状の傘部33,34を延設している。
【００２６】
これにより、噴霧部22,23は、各空気噴出口31,32からコンプレッサー17で加圧された空気を噴き出することができるようになっている。
【００２７】
また、噴霧部22,23は、各空気噴出口31,32に左右一対の噴霧ノズル35,36,37,38の先端部を各噴霧ノズル35,36,37,38の前方側延長線が交差するように配置しており、これにより、各空気噴出口31,32に左右一対の噴霧ノズル35,36,37,38の先端部を各噴霧ノズル35,36,37,38から噴霧された農薬同士が衝突するように対向させた状態で配置している（図９参照。）。
【００２８】
この噴霧ノズル35,36,37,38は、農薬供給パイプ７に連通連結している。すなわち、図１〜図５に示すように、農薬供給パイプ７の先端部にストップバルブ39を接続し、このストップバルブ39に二股状の連通パイプ40の基端部を接続し、この連通パイプ40の二股状先端部にストップバルブ41,42をそれぞれ接続し、各ストップバルブ41,42を散布筒本体21の左右側部に取付けた連通パイプ43,44,45,46の始端部に接続し、各連通パイプ43,44,45,46の中途部に噴霧ノズル35,36,37,38を上下に間隔をあけて接続しており、左右の連通パイプ43,44,45,46の終端部同士を接続している。
【００２９】
これにより、噴霧部22,23は、農薬供給パイプ７から供給される農薬を各噴霧ノズル35,36,37,38の先端部から霧状に噴霧することができるようになっている。
【００３０】
また、噴霧部22,23は、図６〜図８に示すように、各空気噴出口31,32に電線25を配置するとともに、電線25の先端部を露出させて電極47,48を形成している。
【００３１】
この電極47,48は、左右一対の噴霧ノズル35,36,37,38の前方側延長線上の交点に位置させており、これにより、左右一対の噴霧ノズル35,36,37,38から噴霧された農薬同士が衝突する位置で農薬を帯電させることができるようにしている（図９参照）。
【００３２】
さらに、噴霧部22,23は、噴出筒29,30の外側方に円筒状のカバー49,50を取付けている。
【００３３】
これにより、噴霧部22,23は、作物と噴霧ノズル35,36,37,38や電極47,48が接触してしまうのを防止している。
【００３４】
噴霧部22,23は、以上のように構成しており、図９に示すように、各噴霧ノズル35,36,37,38の先端部から噴霧された農薬は、左右の噴霧ノズル35,36,37,38の前方で衝突するとともに、電極47,48によって帯電され、衝突によって前方へ向けて拡散されると同時に、空気噴出口31,32から噴出される加圧された空気の作用によって前方の作物へ向けて噴霧されるようになっている。
【００３５】
このように、上記構成の農薬散布装置１では、噴霧部22,23に加圧した空気を噴き出すための空気噴出口31,32を形成し、この空気噴出口31,32に噴霧ノズル35,36,37,38を配置している。
【００３６】
そのため、上記農薬散布装置１では、噴霧ノズル35,36,37,38から噴霧された農薬を農薬自体の圧力に加えて空気噴出口31,32から噴出される加圧した空気の圧力によっても散布することができ、これによって、少ない農薬の噴霧量であっても遠くの作物にまで農薬を散布することができる。
【００３７】
特に、上記構成の農薬散布装置１では、空気噴出口31,32に一対の噴霧ノズル35,36,37,38を各噴霧ノズル35,36,37,38から噴霧された農薬同士が衝突するように対向させた状態で配置しているため、農薬同士の衝突によって噴霧される農薬の粒子を小さく（軽く）することができ、より遠くまで農薬を散布することができる。
【００３８】
また、上記構成の農薬散布装置１では、各噴霧ノズル35,36,37,38から噴霧された農薬同士が衝突する位置に農薬を帯電させるための電極47,48を配置しているために、農薬同士の衝突によって小さくなった農薬の粒子を電極47,48で帯電させることができるので、農薬の粒子を良好に帯電させることができ、帯電された農薬の粒子を作物の裏側にまで付着させることができる。
【００３９】
また、上記構成の農薬散布装置１では、一対の噴霧ノズル35,36,37,38から噴霧された農薬同士が衝突する領域をカバー49,50で被覆しているために、外部の空気の流れ（風）に影響されることなく農薬同士を衝突させることができるとともに、電極47,48で帯電させることができる。
【図面の簡単な説明】
【００４０】
【図１】本発明に係る農薬散布装置を示す右側面図。
【図２】同正面図。
【図３】同平面図。
【図４】同左側面図。
【図５】同背面図。
【図６】噴霧部を示す右側面図。
【図７】同正面断面図。
【図８】同平面断面図。
【図９】農薬の噴霧状態を示す説明図。
【符号の説明】
【００４１】
１  農薬散布装置                          ２  農薬散布車
３  農薬供給装置                          ４  貯留タンク
５  ポンプ                                ６  連通パイプ
７  農薬供給パイプ                        ８  電源コード
９  プラグ                                10  台車
11  散布機                                12  荷台
13  フレーム                              14  車輪
15  車軸                                  16  手摺
17  コンプレッサー                        18  散布筒
19  連通ダクト                            20  電源スイッチ
21  散布筒本体                            22,23  噴霧部
24  支持体                                25  電線
26  変圧トランス                          27,28  貫通孔
29,30  噴出筒                             31,32  空気噴出口
33,34  傘部                               35,36,37,38  噴霧ノズル
39  ストップバルブ                        40  連通パイプ
41,42  ストップバルブ                     43,44,45,46  連通パイプ
47,48  電極                               49,50  カバー
【図１】
2007049958.tif 000003
【図２】
2007049958.tif 000004
【図３】
2007049958.tif 000005
【図４】
2007049958.tif 000006
【図５】
2007049958.tif 000007
【図６】
2007049958.tif 000008
【図７】
2007049958.tif 000009
【図８】
2007049958.tif 000010
【図９】
2007049958.tif 000011